(57)【特許請求の範囲】
【請求項１】
二つの住宅用外装材を所定間隔をおいて略直角に配置するとともに、それら外装材を固定する鉄骨材をコーナー部に隙を設けることにより形成された入隅目地に、前記略直角の内角を２等分する方向から嵌入される入隅目地用ガスケットであって、
形状がその嵌入方向を中心に左右対称であり、
後端部の両側面には、前記外装材の側部に弾接する左右対称のシールリップ部が形成され、
先端部には、前記鉄骨材の隙に入り込んで弾接する左右対称の中空シール部が形成されるとともに、その中空シール部の付け根部両側には、前記鉄骨材に弾接する左右対称のシールリップ部が形成されていることを特徴とする入隅目地用ガスケット。
【請求項２】
左右対称の凹部が前記後端部の中央部に形成され、該凹部に前記嵌入方向に沿って左右対称の小型ガスケットが嵌入されることを特徴とする請求項１に記載の入隅目地用ガスケット。
【発明の詳細な説明】
【０００１】
【発明の属する技術分野】
本発明は、住宅用外壁パネルを組み合わせることによって形成される特に入隅部の目地空間に沿って嵌入される入隅目地用ガスケットに関する。
【０００２】
【従来の技術】
従来、住宅の入隅部においては図７に示すように、一般の外装材１０１が取り付けられた一般の外壁パネル１００と専用の外装材２０１が取り付けられた特殊の外壁パネル２００とが、所定間隔Ｍをおいて略直角に配置されることにより入隅目地３００が形成されている。そして、入隅目地３００には１次シール用のカラー材４０１が頭部に付けられたガスケット４００と２次シール用のバッカー５００とが嵌入されている。
ガスケット４００はかぶせ目地タイプのものでその両側面にはそれぞれ対になった入隅目地幅Ｍよりも幅の広い複数のシールリップ部４００ａと４００ｂ，４００ｃと４００ｄが形成されていて、ガスケット４００の嵌入でシールリップ部が湾曲し入隅目地３００の側面に弾接することにより雨水の住居への侵入を防止している。
【０００３】
【発明が解決しようとする課題】
しかしながら、一般の外壁材１０１は、図８に示すように両側部が傾めＳに約５ｍｍ，深さＲも約５ｍｍ程切り欠きされたものであり、入隅部以外においても通常使用されているものであるのに対して、特殊の外装材２０１は、一般の外装材１０１よりも切り欠きの深さがＬ（設定する目地の深さによって数値は異なる）程長く、入隅部専用に使用されているものである。したがって、入隅部専用の外装材２０１のコストは高くなるという問題がある。その上、設定する目地の深さに応じた入隅部専用の外装材２０１を設計する必要があるため非常に手間がかかるといった問題がある。
【０００４】
そこで本発明の目的は、上記課題を解消することにあり、入隅部専用の外装材の設計といった手間のかかる作業を行う必要がなく、外装材のコストのかからない入隅目地用ガスケットを提供することにある。
【０００５】
また他の目的は、入隅目地の目地幅にばらつきがあっても水密性を確実にすることのできる入隅目地用ガスケットを提供することにある。
【０００６】
【課題を解決するための手段】
上記の目的を達成するために、本発明の入隅目地用ガスケット（１０）は、二つの住宅用外装材（１０１）を所定間隔（Ａ）をおいて略直角に配置するとともに、それら外装材（１０１）を固定する鉄骨材（１３）をコーナー部に隙（Ｂ）を設けることにより形成された入隅目地（１４）に、略直角の内角を２等分する方向（Ｘ方向）から嵌入される入隅目地用ガスケット（１０）であって、形状がその嵌入方向を中心に左右対称であり、後端部の両側面には、前記外装材（１０１）の側部（１０１ａ，１０１ｂ）に弾接する左右対称のシールリップ部（１５，１６）が形成され、先端部には、前記鉄骨材（１３）の隙（Ｂ）に入り込んで弾接する左右対称の中空シール部（１８）が形成されるとともに、その中空シール部（１８）の付け根部両側には、前記鉄骨材（１３）に弾接する左右対称のシールリップ部（１９，１９）が形成されていることを特徴とするものである（請求項１）。
【０００７】
また、左右対称の凹部（３１）が後端部の中央部に形成され、凹部（３１）に嵌入方向に沿って左右対称の小型ガスケット（３２）が嵌入されるものが好ましい（請求項２）。
【００１１】
なお、括弧内の記号は図面に示し後述する発明の実施の形態の対応要素又は対応事項を示す。
【００１２】
本発明の入隅目地用ガスケットによれば、その形状が嵌入方向を中心に左右対称であるので、同一形状の通常使用される二つの外装材を略直角に同じく左右対称に組合わせることができる。
【００１３】
また、外壁材の側部に弾接する左右対称のシールリップ部が後端部の両側面に形成されているので、入隅目地用ガスケットの嵌入により１次シールが施され、更に鉄骨部の隙に弾接する左右対称の中空シール部及びシールリップ部が先端部に形成されているので、２次シールが施される。
また、好ましくは左右対称の凹部が後端部の中央部に形成され、凹部に嵌入方向に沿って左右対称の小型ガスケットが嵌入されると後端部が拡張するのでシールリップ部の弾接力が高まる。なお、凹部が形成された入隅目地用ガスケットの全体を略直角に配置された二つの住宅用外装材間に嵌入した後に、凹部に小型ガスケットを嵌入しても、あるいは、凹部が形成された入隅目地用ガスケットを略直角に配置された二つの住宅用外装材と、それら外装材を固定するための鉄骨材との間に予め取り付けておき、その後、凹部に小型ガスケットを嵌入するようにしてもよい。特に後者の場合には現場で小型ガスケットを嵌入するだけでよいので施行が簡単になる。
【００１４】
【発明の実施の形態】
（第１の実施の形態）
図面を参照して、本発明の第１の実施の形態に係る入隅目地用ガスケットについて説明する。なお、従来例で示した部分と同一の部分には同じ符号を記した。図１は第１の実施の形態に係る入隅目地用ガスケット１０によるシールを示す断面図である。
【００１５】
本発明の第１実施形態に係る入隅目地用ガスケット１０は、二つの住宅用の外装材１０１，１０１を所定間隔Ａをおいて略直角に配置するとともに、それら外装材１０１，１０１をチャンネル材１１，固定プレート板１２を介して固定する鉄骨材１３をコーナー部に隙Ｂを設けることにより形成された入隅目地１４に、略直角の内角を２等分する方向（Ｘ方向）である室外側から嵌入されるものであり、その形状は嵌入方向、つまり図１に示す一点破線を中心に左右対称である。これにより、従来例で示した外装材１０１，２０１の組合わせとは異なり、図１に示すような同一形状の通常使用される二つの外装材１０１，１０１を同じく略直角に左右対称に組合わせることができる。
【００１６】
また、入隅目地用ガスケット１０の後端部の両側面には、入隅目地用ガスケット１０の嵌入によって外装材１０１の側部に弾接する左右対称のシールリップ部、すなわち外装材１０１の上部切り欠き面１０１ａに弾接するシールリップ部１５，１５と、外装材１０１の側面１０１ｂに弾接する突起形状のシールリップ部１６，１６とが形成されている。これらシールリップ部１５，１５，１６，１６によって、１次シールが行われている。また、後端部の外観面には外装材１０１の色に調和させたカラー材１７が取り付けられている。
【００１７】
更に、入隅目地用ガスケット１０の先端部には、鉄骨部１３の隙Ｂに入り込んで弾接する、形状が略直角の内角を２等分する方向を中心に左右対称で略矢じり形状の中空シール部１８が形成され、その付け根部両側には鉄骨材１３に弾接する同じく形状が左右対称のシールリップ部１９，１９が形成されている。これら中空シール部１８，シールリップ部１９，１９によって、２次シールが行われている。なお、中空シール部１８だけ又はシールリップ部１９，１９だけを鉄骨材１３に弾接させるようにしてもシール効果はあるが、両者を同時に弾接させた方がより効果は大きい。
また、入隅目地用ガスケット１０はその全体が中空形状にされ、及びシール部１８も中空形状にされることによって、図２（目地幅が図１に示す目地幅Ａよりも狭い場合），図３（目地幅が図１に示す目地幅Ａよりも広い場合）に示すように、入隅目地１４のバラツキを吸収してシール性を確保するようになっている。
【００１８】
カラー材１７は、ＣＰＥ（塩素化ポリエチレン）やＣＳＭ（クロロスルホン化ポリエチレン）など耐候性，着色性に優れた材料からなり、入隅目地用ガスケット１０の全体は、ＥＰＤＭなど耐候性，耐熱性に優れた材料からなる。なお、ＣＰＥやＣＳＭまたは／およびＥＰＤＭにかえてＴＰＥ（熱可塑性エラストマー）を使用してもよい。
【００１９】
（第２の実施の形態）
図面を参照して、本発明の第２の実施の形態に係る入隅目地用ガスケットについて説明する。なお、第１の実施の形態で示した部分と同一の部分には同じ符号を記しその説明を省略した。
図４は第２の実施の形態に係る入隅目地用ガスケット２０によるシールを示す断面図である。
【００２０】
本発明の第２実施形態に係る入隅目地用ガスケット２０は、第１実施形態に係る入隅目地用ガスケット１０と同様に、入隅目地１４に、二つの住宅用外装材１０１，１０１を所定間隔Ａをおいて略直角に配置された、その略直角の内角を２等分する方向から嵌入される入隅目地用ガスケット２０であって、形状がその嵌入方向を中心に左右対称であり、後端部の両側面には、１次シール用の、入隅目地用ガスケット２０の嵌入によって外装材１０１の側部に弾接する左右対称のシールリップ部、すなわち外装材１０１の上部切り欠き面１０１ａに弾接するシールリップ部２５，２５と、外装材１０１の側面１０１ｂに弾接する突起形状のシールリップ部２６，２６とが形成されている。また、後端部の外観面には外装材１０１の色に調和させたカラー材２７が取り付けられている。更に先端部には、２次シール用の、鉄骨部１３の隙Ｂに入り込んで弾接する、形状が略直角の内角を２等分する方向を中心に左右対称で略矢じり形状の中空シール部２８が形成され、その付け根部両側には鉄骨材１３に弾接する同じく形状が左右対称のシールリップ部２９，２９が形成されている。なお、ボリュームを低減するための肉抜きとして略中央部には中空形状部３０が形成されている。
【００２１】
特に、入隅目地用ガスケット２０においてはその後端部の中央部に左右対称の凹部３１が形成されており、その凹部３１に上述の入隅目地用ガスケット２０の嵌入方向と同じ方向に沿って左右対称の小型ガスケット３２が嵌入されるようになっている。なお、凹部３１には小型ガスケット３２が嵌入後、容易に抜け落ちないように小型ガスケット３２の両側面に形成されたシールリップ部３２ａ，３２ｂ，３２ｃ，３２ｄに嵌合する段差部３１ａ，３１ｂ，３１ｃ，３１ｄが形成されている。
凹部３１に小型ガスケット３２が嵌入されることにより、入隅目地用ガスケット２０の後端部が拡張するので、二つの外装材１０１，１０１に対するシールリップ部２５，２５，２６，２６の弾接力が高まる。よって、入隅目地１４にバラツキが生じても水密性を確実にすることができる。
【００２２】
（第３の実施の形態）
図面を参照して、本発明の第３の実施の形態に係る入隅目地用ガスケットについて説明する。なお、第１の実施の形態で示した部分と同一の部分には同じ符号を記しその説明を省略した。
図５は第３の実施の形態に係る入隅目地用ガスケット４０によるシールを示す断面図である。
【００２３】
本発明の第３実施形態に係る入隅目地用ガスケット４０は、第１実施形態に係る入隅目地用ガスケット１０と同様に、所定間隔Ａをおいて略直角に配置された二つの住宅用外装材１０１，１０１と、それら外装材１０１，１０１をチャンネル材１１，固定プレート板１２を介して固定するための鉄骨材１３との間に取り付けられたものであり、具体的には差し込み部４１がチャンネル材１１と固定プレート板１２との間に差し込まれている。また、形状がその略直角の内角を２等分する方向を中心に左右対称である。更に、外装材１０１の側面１０１ｂとの間にはブチル系の粘着テープ４２が貼着され入隅目地用ガスケット４０が確実に固定されるようになっている。
【００２４】
また、入隅目地用ガスケット４０の後端部の中央部にはシールリップ部３２ａ，３２ｂ，３２ｃ，３２ｄ嵌合用の段差部４３ａ，４３ｂ，４３ｃ，４３ｄ付きの凹部４３が形成されており、凹部４３に左右対称の小型ガスケット３２（第２実施形態で示したものと同一）が嵌入できるようになっている。
なお、後端部の外観面には外装材１０１の色に調和させたカラー材４４が取り付けられ、先端部には、互いに中央部で弾接する形状が左右対称のシールリップ部４５，４６と鉄骨部１３に弾接する同じく形状が左右対称のシールリップ部４７が形成されている。これにより、小型ガスケット３２のシールリップ３２ａ，３２ｂ，３２ｃ，３２ｄで１次シールを施し、入隅目地用ガスケット４０のシールリップ部４５，４６どうしが弾接することで２次シールし、確実に水密性を確保できる。
【００２５】
なお、嵌入される小型ガスケット３２はかぶせ目地タイプであるが、図６に示すような底目地タイプの小型ガスケット６２を使用してもよい。また、図５に示すシールリップ部４５，４６を図６に示す中空シール部５５にした入隅目地用ガスケット５０を使用してもよい。
【００２６】
【発明の効果】
以上のとおり、本発明の入隅目地用ガスケットによれば、専用の外装材を使用することなく、同一形状の通常使用される二つの外装材を略直角に左右対称に組合わせることができるので、手間も費用もかからない。
【００２７】
また、外装材の側部に弾接するシールリップ部によって１次シールが施され、更に鉄骨部の隙に弾接する中空シール部及びシールリップ部によって２次シールが施されるので、水密性は高い。また、後端部の中央部に形成された凹部に小型ガスケットが嵌入されると後端部が拡張してシールリップ部の弾接力が高まるので、入隅目地幅にばらつきがあっても水密性を確実にすることができる。
【図面の簡単な説明】
【図１】本発明の第１の実施の形態に係る入隅目地用ガスケット１０によるシールを示す断面図である。
【図２】目地幅が図１に示す目地幅Ａよりも狭い場合の、入隅目地用ガスケット１０によるシールを示す断面図である。
【図３】目地幅が図１に示す目地幅Ａよりも広い場合の、入隅目地用ガスケット１０によるシールを示す断面図である。
【図４】本発明の第２の実施の形態に係る入隅目地用ガスケット２０によるシールを示す断面図である。
【図５】本発明の第３の実施の形態に係る入隅目地用ガスケット４０によるシールを示す断面図である。
【図６】本発明の第３の実施の形態に係る他の入隅目地用ガスケット５０によるシールを示す断面図である。
【図７】従来例に示す入隅目地３００のガスケット４００及びバッカー５００によるシールを示す断面図である。
【図８】図７に示す一般の外装材１０１の側面図である。
【符号の説明】
１０      入隅目地用ガスケット
１１      チャンネル材
１２      固定プレート板
１３      鉄骨材
１４      入隅目地
１５，１６      シールリップ部
１７      カラー材
１８      中空シール部
１９      シールリップ部
２０      入隅目地用ガスケット
２５，２６      シールリップ部
２７      カラー材
２８      中空シール部
２９      シールリップ部
３０      中空形状部
３１      凹部
３２      小型ガスケット
４０      入隅目地用ガスケット
４１      差し込み部
４２      粘着テープ
４３      凹部
４４      カラー材
４５，４６      シールリップ部
４７      シールリップ部
５０      入隅目地用ガスケット
５５      中空シール部
６２      小型ガスケット
１００    一般の外壁パネル
１０１    一般の外装材
２００    特殊の外壁パネル
２０１    専用の外装材
３００    入隅目地
４００    ガスケット
４０１    カラー材
５００    バッカー
【図１】
0003641087.tif 000002
【図２】
0003641087.tif 000003
【図３】
0003641087.tif 000004
【図４】
0003641087.tif 000005
【図５】
0003641087.tif 000006
【図６】
0003641087.tif 000007
【図７】
0003641087.tif 000008
【図８】
0003641087.tif 000009